(57)【要約】【課題】光学部品とレンズ部材との間に周囲環境による光軸ずれがあっても伝送効率の低下を抑制することが可能な光コネクタを提供する。【解決手段】光コネクタ１は、複数の出射端２２ａを有する複数の第１の光ファイバ２Ａを保持する第１の保持部材３Ａと、複数の入射端２２ｂを有する複数の第２の光ファイバ２Ｂを保持する第２の保持部材３Ｂと、複数の第１の光ファイバ２Ａに接合され、複数の出射端２２ａから出射された光信号をそれぞれの中間結像点４５に結像する複数のレンズ部４０ａを有する第１のレンズ部材４Ａと、複数の第２の光ファイバ２Ｂに接合され、中間結像点４５を介してそれぞれ入射する光信号を複数の入射端２２ｂに結像する複数のレンズ部４０ｂを有する第２のレンズ部材４Ｂとを備える。【選択図】図１
2014182340.tif 000002
【特許請求の範囲】
【請求項１】
光信号を出射する複数の出射端を有する第１の光学部品を保持する第１の保持部材と、
光信号が入射する複数の入射端を有する第２の光学部品を保持する第２の保持部材と、
前記第１の光学部品に接合され、前記複数の出射端から出射された前記光信号をそれぞれの中間結像点に結像する複数のレンズ部を有する第１のレンズ部材と、
前記第２の光学部品に接合され、前記中間結像点を介してそれぞれ入射する前記光信号を前記複数の入射端に結像する複数のレンズ部を有する第２のレンズ部材と、
を備えた光コネクタ。
【請求項２】
前記第１及び第２の光学部品は、それぞれ複数の光ファイバである、請求項１に記載の光コネクタ。
【請求項３】
前記第１及び第２の光学部品は、一方が複数の光ファイバであり、他方が光素子である、請求項１に記載の光コネクタ。
【請求項４】
前記第１の光学部品の前記複数の出射端、前記第２の光学部品の前記複数の入射端、及び前記第１及び第２のレンズ部材の前記複数のレンズ部は、２次元状に配置された、請求項１から３のいずれか１項に記載された光コネクタ。
【発明の詳細な説明】
【技術分野】
【０００１】
本発明は、光ファイバ、光素子等の光学部品を光学的に結合する光コネクタに関する。
【背景技術】
【０００２】
従来、軸ずれや塵埃の影響を受けにくいことから、レンズを用いた光ファイバコネクタが提案されている（例えば、特許文献１参照。）。
【０００３】
この光ファイバコネクタは、円柱状の一端に平凸レンズ部を有して光ファイバを保持する一対のファイバ支持体と、平凸レンズ部同士が対向して一対のファイバ支持体が同軸上に位置するように一対のファイバ支持体を収容するスリーブとを備える。この構成によれば、一方の光ファイバから出力された光は、平凸レンズ部によって拡大されて平行光に整形された後、対向する平凸レンズ部によって集光され、他方の光ファイバに伝送される。
【０００４】
また、近年、大容量のデジタル信号を高速に伝送させるため、複数の光ファイバを複数の発光部又は受光部を有する光素子に接続する光ファイバ接続部品が提案されている（例えば、特許文献２参照。）。
【０００５】
この光ファイバ接続部品は、複数のレンズが形成されたレンズ基板（レンズ部材）と、複数の発光部又は受光部を有する光素子が実装された基板にレンズ基板を取り付ける取付部材と、テープ状光ファイバを挿通させる挿通孔を有する光ファイバ接続部品本体とを備える。この構成によれば、光ファイバを介して伝送された光信号は、レンズによって集光されて光素子の受光部に受光される。
【先行技術文献】
【特許文献】
【０００６】
【特許文献１】特開昭６１−１６９８０４号公報
【特許文献２】特開２０１０−１８１６９７号公報
【発明の概要】
【発明が解決しようとする課題】
【０００７】
しかし、従来の光ファイバ接続部品によると、レンズ基板と光ファイバ接続部品本体との間で線膨張係数や吸湿率が異なる場合、温度変化や湿度の影響によりレンズ基板と光ファイバ接続部品本体との間に光軸ずれが発生し、伝送効率が低下するおそれがある。
【０００８】
したがって、本発明の目的は、光学部品とレンズ部材との間に周囲環境による光軸ずれがあっても伝送効率の低下を抑制することが可能な光コネクタを提供することにある。
【課題を解決するための手段】
【０００９】
本発明の一態様は、上記目的を達成するため、以下の光コネクタを提供する。
【００１０】
［１］光信号を出射する複数の出射端を有する第１の光学部品を保持する第１の保持部材と、光信号が入射する複数の入射端を有する第２の光学部品を保持する第２の保持部材と、前記第１の光学部品に接合され、前記複数の出射端から出射された前記光信号をそれぞれの中間結像点に結像する複数のレンズ部を有する第１のレンズ部材と、前記第２の光学部品に接合され、前記中間結像点を介してそれぞれ入射する前記光信号を前記複数の入射端に結像する複数のレンズ部を有する第２のレンズ部材と、を備えた光コネクタ。
［２］前記第１及び第２の光学部品は、それぞれ複数の光ファイバである、前記［１］に記載の光コネクタ。
［３］前記第１及び第２の光学部品は、一方が複数の光ファイバであり、他方が光素子である、前記［１］に記載の光コネクタ。
［４］前記第１の光学部品の前記複数の出射端、前記第２の光学部品の前記複数の入射端、及び前記第１及び第２のレンズ部材の前記複数のレンズ部は、２次元状に配置された、前記［１］から［３］のいずれかに記載された光コネクタ。
【発明の効果】
【００１１】
本発明によれば、光学部品とレンズ部材との間に周囲環境による光軸ずれがあっても伝送効率の低下を抑制することが可能になる。
【図面の簡単な説明】
【００１２】
【図１】図１は、本発明の第１の実施の形態に係る光コネクタの概略の構成例を示し、（ａ）は断面図、（ｂ）は（ａ）のＡ−Ａ線矢視図である。
【図２】図２は、温度上昇等の環境変化があった場合の第１の実施の形態の光学系の変化を示し、（ａ）は断面図、（ｂ）は要部拡大図である。
【図３】図３は、比較例に係る光コネクタの断面図である。
【図４】図４は、温度上昇等の環境変化があった場合の比較例の光学系の変化を示す断面図である。
【図５】図５は、本発明の第２の実施の形態に係る光コネクタの概略の構成例を示す断面図である。
【図６】図６は、本発明の第３の実施の形態に係る光コネクタの概略の構成例を示し、図１（ｂ）に対応する図である。
【発明を実施するための形態】
【００１３】
以下、本発明の実施の形態について図面を参照して説明する。なお、各図中、実質的に同一の機能を有する構成要素については、同一の符号を付してその重複した説明を省略する。
【００１４】
［実施の形態の要約］
本発明の実施の形態は、光信号を出射する複数の出射端を有する第１の光学部品を保持する第１の保持部材と、光信号が入射する複数の入射端を有する第２の光学部品を保持する第２の保持部材と、複数のレンズ部を有する第１のレンズ部材と、複数のレンズ部を有する第２のレンズ部材とを備えた光コネクタにおいて、前記第１のレンズ部材の前記複数のレンズ部は、前記複数の出射端から出射された前記光信号をそれぞれの中間結像点に結像し、前記第２のレンズ部材の前記複数のレンズ部は、前記中間結像点を介してそれぞれ入射する前記光信号を前記複数の入射端に結像する。
【００１５】
上記第１及び第２の光学部品は、それぞれ複数の光ファイバでもよく、一方が複数の光ファイバであり、他方が光素子でもよい。光素子は、複数の出射端としての発光部を有するレーザ、発光ダイオード等の発光素子や、複数の入射端としての受光部を有するフォトダイオード等の発光素子である。発光素子は、光信号を発光する発光面と反対側に実装面を有する面発光素子でもよい。受光素子は、光信号を受光する受光面と反対側に実装面を有する面受光素子でもよい。
【００１６】
［第１の実施の形態］
図１は、本発明の第１の実施の形態に係る光コネクタの概略の構成例を示し、（ａ）は断面図、（ｂ）は（ａ）のＡ−Ａ線矢視図である。
【００１７】
この光コネクタ１は、図１（ａ）に示すように、光信号を出射する複数の出射端２２ａが列方向Ｂ（図１（ｂ）参照）に配列された複数の第１の光ファイバ２Ａを保持する第１の保持部材３Ａと、光信号が入射する複数の入射端２２ｂが列方向Ｂに配列された第２の光ファイバ２Ｂを保持する第２の保持部材３Ｂと、複数の出射端２２ａから出射された光信号をそれぞれの中間結像点４５に結像する複数のレンズ部４０ａを有する第１のレンズ部材４Ａと、中間結像点４５を介してそれぞれ入射する光信号を複数の入射端２２ｂに結像する複数のレンズ部４０ｂを有する第２のレンズ部材４Ｂと、第１及び第２の保持部材３Ａ、３Ｂをガイドして位置決めする一対のガイドピン５と、第１及び第２の保持部材３Ａ、３Ｂ同士を結合する図示しないクランプ部材とを備え、第１及び第２の光ファイバ２Ａ、２Ｂ同士を光学的に結合するものである。ここで、複数の第１及び第２の光ファイバ２Ａ、２Ｂは、それぞれ第１及び第２の光学部品の一例である。ガイドピン５は、位置決め部材の一例である。
【００１８】
（光ファイバ）
第１の光ファイバ２Ａの出射端２２ａは、第１の保持部材３Ａの接続面３０ａと同一の面となっている。第２の光ファイバ２Ｂの入射端２２ｂは、第２の保持部材３Ｂの接続面３０ｂと同一の面となっている。複数の第１及び第２の光ファイバ２Ａ、２Ｂは、図１（ｂ）に示すように、列方向Ｂに配列されている。
【００１９】
第１及び第２の光ファイバ２Ａ、２Ｂは、図１（ａ）に示すように、コア２０と、コア２０の周囲に形成され、コア２０の屈折率よりも低い屈折率を有するクラッド２１とを備える。第１及び第２の光ファイバ２Ａ、２Ｂは、コア２０及びクラッド２１が石英ガラスから形成された石英ガラス系光ファイバ、コア２０が石英ガラスから形成され、クラッド２１がプラスチックから形成されたポリマークラッド光ファイバ、コア２０及びクラッド２１がプラスチックから形成されたプラスチック光ファイバ等を用いることができる。本実施の形態では、第１及び第２の光ファイバ２Ａ、２Ｂとして、例えば、外径を８０〜１２５μｍ、コア２０の直径を５０μｍのものを用い、８５０μｍの波長の光信号を伝送する。
【００２０】
（保持部材）
第１の保持部材３Ａは、第１の光ファイバ２Ａを保持するファイバ保持部３１ａと、枠部３２ａとを有する。ファイバ保持部３１ａには、第１の光ファイバ２Ａを挿通させる複数の挿通孔３３ａが形成され、枠部３２ａには、ガイドピン５が挿入される一対のガイド穴３４ａが形成されている。第２の保持部材３Ｂは、第１の保持部材３Ａと同様に、第２の光ファイバ２Ｂを保持するファイバ保持部３１ｂと、枠部３２ｂとを有する。ファイバ保持部３１ｂには、第２の光ファイバ２Ｂを挿通させる複数の挿通孔３３ｂが形成され、枠部３２ｂには、ガイドピン５が挿入される一対のガイド穴３４ｂが形成されている。
【００２１】
第１及び第２の保持部材３Ａ、３Ｂは、同一の線膨張係数及び吸湿度とするため、同一の材料から形成されているのが好ましく、例えばガラスフィラーと樹脂との混成材料から形成されたＭＴ（Mechanical Transferable）フェルールを用いることができる。樹脂として、例えばＰＰＳ（ポリフェニレンスルフィド）等の熱可塑性樹脂、エポキシ樹脂等の熱硬化性樹脂等を用いることができる。
【００２２】
（レンズ部材）
第１及び第２のレンズ部材４Ａ、４Ｂは、板状のベース部４１ａ、４１ｂと、ベース部４１ａ、４１ｂの上面４２ａ、４２ｂ側に列方向Ｂに設けられた上記複数のレンズ部４０ａ、４０ｂとを備える。送信側のレンズ部４０ａは、その焦点４４ａが第１の光ファイバ２Ａの出射端２２ａの中心に形成するように構成されている。受信側のレンズ部４０ｂは、その焦点４４ｂが第２の光ファイバ２Ｂの入射端２２ｂの中心に形成するように構成されている。
【００２３】
第１及び第２のレンズ部材４Ａ、４Ｂのレンズ部４０ａ、４０ｂは、レンズ部４０ａ、４０ｂ間に中間結像点４５が形成される光学特性を有する。第１のレンズ部材４Ａの複数のレンズ部４０ａは、複数の第１の光ファイバ２Ａの出射端２２ａから出射された光信号をそれぞれの中間結像点４５に結像する。第２のレンズ部材４Ｂの複数のレンズ部４０ｂは、中間結像点４５を介してそれぞれ入射する光信号を複数の第２の光ファイバ２Ｂの入射端２２ｂの中心に結像する。
【００２４】
第１及び第２のレンズ部材４Ａ、４Ｂは、送信する光信号に対して透明な材料、例えばポリエーテルイミド樹脂、ポリカーボネイト樹脂、アクリル樹脂等の材料を用いて、例えば射出成型により形成される。第１及び第２のレンズ部材４Ａ、４Ｂの下面４３ａ、４３ｂは、例えば、紫外線硬化型接着剤等の光学用接着剤により第１及び第２の保持部材３Ａ、３Ｂの接続面３０ａ、３０ｂに接着される。
【００２５】
（第１の実施の形態の作用）
次に、第１の実施の形態の作用を図１及び図２を参照して説明する。図２は、温度上昇等の環境変化があった場合の第１の実施の形態の光学系の変化を示し、（ａ）は断面図、（ｂ）は要部拡大図である。なお、図２では、説明を分かり易くするため、第１及び第２のレンズ部材４Ａ、４Ｂを誇張して図示している。第１及び第２の保持部材３Ａ、３Ｂの線膨張係数よりも第１及び第２のレンズ部材４Ａ、４Ｂの線膨張係数の方が大きいものとする。
【００２６】
図１に示すように、送信側の第１の光ファイバ２Ａによって伝送された光信号は、出射端２２ａから拡散した後、第１のレンズ部材４Ａのレンズ部４０ａによって集光され、中間結像点４５で一旦結像した後、受信側の第２のレンズ部材４Ｂのレンズ部４０ｂによって集光され、入射端２２ｂの中心に結像し、その後受信側の第２の光ファイバ２Ｂによって伝送される。
【００２７】
ここで、温度上昇等の環境変化があると、第１及び第２のレンズ部材４Ａ、４Ｂは、温度上昇により第１及び第２の保持部材３Ａ、３Ｂに対して相対的に長手方向（図２において上下方向）に長くなる。このため、両側に位置する光ファイバ２Ａ、２Ｂの光軸２３ａ、２３ｂと両側に位置するレンズ部４０ａ、４０ｂの光軸４６ａ、４６ｂとの間にずれが生じるが、送信側の各出射端２２ａから出力された光は、中間結像点４５を介して受信側の対応する入射端２２ｂの中心にそれぞれ結像する。なお、このような作用は、第１及び第２の保持部材３Ａ、３Ｂと第１及び第２のレンズ部材４Ａ、４Ｂとの間に吸湿率が異なる場合についてもいえる。また、上記の作用は、第１及び第２の保持部材３Ａ、３Ｂの線膨張係数よりも第１及び第２のレンズ部材４Ａ、４Ｂの線膨張係数の方が小さい場合についてもいえる。
【００２８】
（比較例）
図３は、比較例に係る光コネクタの断面図である。この比較例は、第１の実施の形態とは、第１及び第２のレンズ部材１４Ａ、１４Ｂのレンズ部１４０ａ、１４０ｂの光学特性が異なり、他は第１の実施の形態と同様に構成されている。以下、第１の実施の形態との相違点を中心に説明する。
【００２９】
第１のレンズ部材１４Ａのレンズ部１４０ａは、出射端２２ａから出力された光を平行光に整形する。第２のレンズ部材１４Ｂのレンズ部１４０ｂは、送信された平行光を集光して入射端２２ｂに結像する。レンズ部１４０ａ、１４０ｂは、その焦点４４ａ、４４ｂが出射端２２ａ及び入射端２２ｂの中心に形成するように構成されている。
【００３０】
図４は、温度上昇等の環境変化があった場合の比較例の光学系の変化を示す断面図である。なお、図４では、説明を分かり易くするため、第１及び第２のレンズ部材１４Ａ、１４Ｂを誇張して図示している。第１及び第２の保持部材３Ａ、３Ｂの線膨張係数よりも第１及び第２のレンズ部材１４Ａ、１４Ｂの線膨張係数の方が大きいものとする。第１及び第２のレンズ部材１４Ａ、１４Ｂは、周囲の温度上昇により第１及び第２の保持部材３Ａ、３Ｂに対して相対的に長手方向（図４において上下方向）に長くなる。これにより、両側に位置する光ファイバ２Ａ、２Ｂの光軸２３ａ、２３ｂと両側に位置するレンズ部１４０ａ、１４０ｂの光軸４６ａ、４６ｂとの間にずれが生じる。このため、送信側の各出射端２２ａから出射された光のうち両側の光は、第１のレンズ部材１４Ａのレンズ部１４０ａにより平行光に整形されずに第２のレンズ部材１４Ｂのレンズ部１４０ｂに入射する。両側に位置するレンズ部１４０ｂに入射した光は、入射端２２ｂの中心からずれた位置に結像する。このため、光信号の効率的に伝送されずに伝送効率が低下する。このような作用は、第１及び第２の保持部材３Ａ、３Ｂと第１及び第２のレンズ部材１４Ａ、１４Ｂとの間に吸湿率が異なる場合についてもいえる。また、上記の作用は、第１及び第２の保持部材３Ａ、３Ｂの線膨張係数よりも第１及び第２のレンズ部材１４Ａ、１４Ｂの線膨張係数の方が小さい場合についてもいえる。
【００３１】
（第１の実施の形態の効果）
第１の実施の形態によれば、送信側のレンズ部４０ａと受信側のレンズ部４０ｂとの間に中間結像点４５が形成されるようにしたので、第１及び第２の光ファイバ２Ａ、２Ｂと第１及び第２のレンズ部材４Ａ、４Ｂとの間に周囲環境による光軸ずれがあっても、送信側の第１の光ファイバ２Ａから受信側の第２の光ファイバ２Ｂへの伝送効率の低下を抑制することができる。
【００３２】
なお、第１の実施の形態では、第１及び第２の光学部品を光ファイバとしたが、一方の光学部品を光ファイバとし、他方の光学部品を光素子としても、第１の実施の形態と同様の効果を奏する。
【００３３】
［第２の実施の形態］
図５は、本発明の第２の実施の形態に係る光コネクタの概略の構成例を示す断面図である。第１の実施の形態では、送信側の第１の保持部材３Ａと受信側の第２の保持部材３Ｂをガイドピン５により位置決めしたが、本実施の形態は、送信側の第１のレンズ部材４Ａと受信側の第２のレンズ部材４Ｂをガイドピン５により位置決めしたものである。以下、第１の実施の形態との相違点を中心に説明する。
【００３４】
この光コネクタ１は、第１の実施の形態と同様に、第１及び第２の保持部材３Ａ、３Ｂと、第１及び第２のレンズ部材４Ａ、４Ｂと、一対のガイドピン５とを備える。
【００３５】
第１及び第２の保持部材３Ａ、３Ｂは、第１の実施の形態のような枠部３２ａ、３２ｂを有しておらず、光ファイバ２Ａ、２Ｂを挿通させる複数の挿通孔３３ａ、３３ｂと、一対の規制穴部３５ａ、３５ｂとが形成されている。
【００３６】
第１及び第２のレンズ部材４Ａ、４Ｂは、板状のベース部４１ａ、４１ｂと、ベース部４１ａ、４１ｂの上面４２ａ、４２ｂ側に設けられた複数のレンズ部４０ａ、４０ｂと、下面４３ａ、４３ｂに設けられた一対の規制軸部４６ａ、４６ｂと、枠部４８ａ、４８ｂとを備える。枠部４８ａ、４８ｂには、ベース部４１ａ、４１ｂを貫通するようにガイド穴４９ａ、４９ｂが形成されている。
【００３７】
第１及び第２の保持部材３Ａ、３Ｂの接続面３０ａ、３０ｂと接続面３０ａ、３０ｂに対向する第１及び第２のレンズ部材４Ａ、４Ｂの下面４３ａ、４３ｂとは、例えば、紫外線硬化型接着剤等の光学用接着剤６によって接着される。また、第１及び第２のレンズ部材４Ａ、４Ｂの規制軸部４６ａ、４６ｂと規制穴部３５ａ、３５ｂとは、光学用接着剤６により接着される。
【００３８】
（第２の実施の形態の効果）
第２の実施の形態によれば、第１の実施の形態と同様に、第１及び第２の光ファイバ２Ａ、２Ｂと第１及び第２のレンズ部材４Ａ、４Ｂとの間に周囲環境による光軸ずれがあっても、送信側の第１の光ファイバ２Ａから受信側の第２の光ファイバ２Ｂへの伝送効率の低下を抑制することができるとともに、第１及び第２の保持部材３Ａ、３Ｂの接続面３０ａ、３０ｂの研磨が容易になる。
【００３９】
［第３の実施の形態］
図６は、本発明の第３の実施の形態に係る光コネクタの概略の構成例を示し、図１（ｂ）に対応する図である。第１の実施の形態では、第１及び第２の光ファイバ２Ａ、２Ｂ、及びレンズ部４０ａ、４０ｂを列方向Ｂに一列配列したが、本実施の形態は、第１及び第２の光ファイバ２Ａ、２Ｂ、及びレンズ部４０ａ、４０ｂを行方向及び列方向Ｂに２次元的に配列したものであり、他は第１の実施の形態と同様に構成されている。
【００４０】
（第３の実施の形態の作用）
次に、第３の実施の形態の作用を説明する。第１及び第２の保持部材３Ａ、３Ｂの線膨張係数よりも第１及び第２のレンズ部材４Ａ、４Ｂの線膨張係数の方が大きいものとする。温度上昇等の環境変化があると、第１及び第２のレンズ部材４Ａ、４Ｂは、温度上昇により第１及び第２の保持部材３Ａ、３Ｂに対して相対的に長手方向（図６において上下方向及び左右方向）に長くなる。このため、周辺に位置する第１の光ファイバ２Ａの光軸と周辺に位置するレンズ部４０ａの光軸との間、及び周辺に位置する光ファイバ２Ｂの光軸と周辺に位置するレンズ部４０ｂの光軸との間にずれが生じるが、送信側の各第１の光ファイバ２Ａから出射された光は、中間結像点４５を介して受信側の対応する入射端２２ｂの中心にそれぞれ結像する。なお、このような作用は、第１及び第２の保持部材２Ａ、２Ｂと第１及び第２のレンズ部材４Ａ、４Ｂとの間に吸湿率が異なる場合についてもいえる。また、上記の作用は、第１及び第２の保持部材３Ａ、３Ｂの線膨張係数よりも第１及び第２のレンズ部材４Ａ、４Ｂの線膨張係数の方が小さい場合についてもいえる。
【００４１】
（第３の実施の形態の効果）
第３の実施の形態によれば、第１の実施の形態と同様に、送信側のレンズ部４０ａと受信側のレンズ部４０ｂとの間に中間結像点４５が形成されるようにしたので、第１及び第２の光ファイバ２Ａ、２Ｂと第１及び第２のレンズ部材４Ａ、４Ｂとの間に周囲環境による光軸ずれがあっても、送信側の第１の光ファイバ２Ａから受信側の第２の光ファイバ２Ｂへの伝送効率の低下を抑制することができる。
【００４２】
なお、本発明の実施の形態は、上記実施の形態に限定されるものではなく、本発明の要旨を変更しない範囲内で種々に変形、実施が可能である。例えば、上記第１の実施の形態では、ガイドピン５を第１及び第２の保持部材３Ａ、３Ｂとは別部材で構成したが、ガイドピンを第１又は第２の保持部材３Ａ、３Ｂと一体的に形成してもよい。
【００４３】
また、本発明の要旨を変更しない範囲内で、上記実施の形態の構成要素の一部を省くことが可能である。例えば、上記第１の実施の形態では、第１及び第２の保持部材の接続面と第１及び第２のレンズ部材の下面とを光学用接着剤で接着したが、光学用接着剤を用いずにクランプ部材等の他の部材を用いて両者を接触させてもよい。
【符号の説明】
【００４４】
１…光コネクタ、２…光ファイバ（第２の光学部品）、２Ａ…第１の光ファイバ（第１の光学部品）、２Ｂ…第２の光ファイバ（第２の光学部品）、３Ａ…第１の保持部材、３Ｂ…第２の保持部材、４Ａ…第１のレンズ部材、４Ｂ…第２のレンズ部材、５…ガイドピン（位置決め部材）、６…光学用接着剤、１４Ａ…第１のレンズ部材、１４Ｂ…第２のレンズ部材、２０…コア、２１…クラッド、２２ａ…出射端、２２ｂ…入射端、３０ａ、３０ｂ…接続面、３１ａ、３１ｂ…ファイバ保持部、３２ａ、３２ｂ…枠部、３３ａ、３３ｂ…挿通孔、３４ａ、３４ｂ…ガイド穴、３５ａ、３５ｂ…規制穴部、４０ａ、４０ｂ…レンズ部、４１ａ、４１ｂ…ベース部、４２ａ、４２ｂ…上面、４３ａ、４３ｂ…下面、４４ａ、４４ｂ…焦点、４５…中間結像点、４６ａ、４６ｂ…規制軸部、４８ａ、４８ｂ…枠部、４９ａ、４９ｂ…ガイド穴、１４０ａ、１４０ｂ…レンズ部
【図１】
2014182340.tif 000003
【図２】
2014182340.tif 000004
【図３】
2014182340.tif 000005
【図４】
2014182340.tif 000006
【図５】
2014182340.tif 000007
【図６】
2014182340.tif 000008